【手続補正書】
【提出日】平成30年12月5日(2018.12.5)
【手続補正１】
【補正対象書類名】明細書
【補正対象項目名】０１０４
【補正方法】変更
【補正の内容】
【０１０４】
特許証のための、上記出願で引用された全ての参考文献、特許文献、及び特許出願は、一貫した方式で、その全体が参照により本明細書に組み込まれる。組み込まれた参照文献の諸部分と本出願の諸部分との間に、不一致又は矛盾がある場合には、前述の説明における情報が優先されるものとする。特許請求される開示を当業者が実践することを可能にするために示された、前述の説明は、特許請求の範囲及びその全ての均等物によって規定される、本開示の範囲を限定するものとして解釈されるべきではない。本開示の実施態様の一部を以下の［項目１］−［項目１５］に記載する。
［項目１］
内側表面を備える、おむつと、
前記内側表面の一部分に結合された、阻止部材と、を備え、前記阻止部材が、
前記内側表面の前記一部分と同一の広がりをもつ弾性パッドと、
前記弾性パッドに接合されており、複数の場所で再配置可能に前記内側表面に取り付けることが可能な、取り付け層と、を備える、おむつ組立品。
［項目２］
前記弾性パッドが、弾性コアと、前記弾性コアを少なくとも部分的に囲むシェルとを備え、前記取り付け層が、前記シェルに接合されている、項目１に記載のおむつ組立品。
［項目３］
前記シェルが、不織布ウェブを備える、項目２に記載のおむつ組立品。
［項目４］
前記取り付け層が、外側表面と、前記外側表面上に配設された、機械的締結具の雄型要素とを有する、項目１〜３のいずれか一項に記載のおむつ組立品。
［項目５］
前記機械的締結具の前記雄型要素が、網状の複製フック材料を備える、項目４に記載のおむつ組立品。
［項目６］
前記おむつが、前記機械的締結具の前記雄型要素に係合して、機械的に保持する、不織布トップシートを備える、項目４又は５に記載のおむつ組立品。
［項目７］
前記取り付け層が、感圧性接着剤を備える、項目１〜６のいずれか一項に記載のおむつ組立品。
［項目８］
前記取り付け層が、非連続的である、項目１〜７のいずれか一項に記載のおむつ組立品。
［項目９］
前記弾性パッドが、独立気泡ポリエチレン発泡体、連続気泡ポリウレタン発泡体、又はポリエステル中綿を備える、項目１〜８のいずれか一項に記載のおむつ組立品。
［項目１０］
前記発泡体が、２５０グラム毎平方センチメートルの荷重下で、前記発泡体の非圧縮厚さの少なくとも５０パーセントまで圧縮し、かつ、前記発泡体の元の厚さの５０パーセントまで１０分間にわたって圧縮された後、前記発泡体の元の厚さの少なくとも８０パーセントまで回復し、回復が、圧縮力の解除後の３０秒以内に生じる、項目９に記載のおむつ組立品。
［項目１１］
前記弾性パッドが、前記内側表面に垂直な方向に沿って画定された、５ミリメートル〜２０ミリメートルの範囲の厚さを有する、項目１〜１０のいずれか一項に記載のおむつ組立品。
［項目１２］
おむつからの漏れを低減する方法であって、
弾性パッドと、前記弾性パッドに接合された取り付け層とを有する、阻止部材を提供するステップであって、前記取り付け層が、前記おむつの内側表面に取り付け可能である、ステップと、
前記取り付け層を、前記内側表面の一部分に結合して、おむつ組立品を提供するステップであって、前記阻止部材が、前記内側表面の前記一部分と同一の広がりをもつ、ステップと、
前記おむつ組立品を着用者に締結することにより、前記阻止部材が、前記着用者の背部の輪郭に適合して、放出されたあらゆる排泄物が、前記おむつから漏出することを防ぐ、ステップと、を含む、方法。
［項目１３］
前記取り付け層が、前記おむつの前記内側表面に、剥離可能に取り付け可能である、項目１２に記載の方法。
［項目１４］
前記阻止部材を前記内側表面から後で取り外して、同じおむつ又は異なるおむつの、前記内側表面の異なる部分に再び取り付けることができるように、前記取り付け層が再配置可能である、項目１２又は１３に記載の方法。
［項目１５］
容器と、
前記容器内に収容された、複数の阻止部材であって、各阻止部材が、弾性パッドと、前記弾性パッドに接合された取り付け層とを備え、前記取り付け層が、おむつの内側表面への剥離可能な取り付けを可能にする構成を有する、複数の阻止部材と、を備える、パッケージ化組立品。
【手続補正２】
【補正対象書類名】特許請求の範囲
【補正対象項目名】全文
【補正方法】変更
【補正の内容】
【特許請求の範囲】
【請求項１】
内側表面及び後縁部を備える、おむつと、
前記内側表面の一部分に結合された、細長い阻止部材と、を備え、前記阻止部材が、
前記後縁部にほぼ平行に位置合わせされており、かつ、
前記内側表面の前記一部分と同一の広がりをもつ弾性パッドと、
前記弾性パッドに接合されており、複数の場所で再配置可能に前記内側表面に取り付けることが可能な、取り付け層と、を備える、おむつ組立品。
【請求項２】
前記弾性パッドが、弾性コアと、前記弾性コアを少なくとも部分的に囲むシェルとを備え、前記取り付け層が、前記シェルに接合されている、請求項１に記載のおむつ組立品。
【請求項３】
前記シェルが、不織布ウェブを備える、請求項２に記載のおむつ組立品。
【請求項４】
前記取り付け層が、外側表面と、前記外側表面上に配設された、機械的締結具の雄型要素とを有する、請求項１〜３のいずれか一項に記載のおむつ組立品。
【請求項５】
前記機械的締結具の前記雄型要素が、網状の複製フック材料を備える、請求項４に記載のおむつ組立品。
【請求項６】
前記おむつが、前記機械的締結具の前記雄型要素に係合して、機械的に保持する、不織布トップシートを備える、請求項４又は５に記載のおむつ組立品。
【請求項７】
前記取り付け層が、感圧性接着剤を備える、請求項１〜６のいずれか一項に記載のおむつ組立品。
【請求項８】
前記取り付け層が、非連続的である、請求項１〜７のいずれか一項に記載のおむつ組立品。
【請求項９】
前記弾性パッドが、独立気泡ポリエチレン発泡体、連続気泡ポリウレタン発泡体、又はポリエステル中綿を備える、請求項１〜８のいずれか一項に記載のおむつ組立品。
【請求項１０】
前記発泡体が、２５０グラム毎平方センチメートルの荷重下で、前記発泡体の非圧縮厚さの少なくとも５０パーセントまで圧縮し、かつ、前記発泡体の元の厚さの５０パーセントまで１０分間にわたって圧縮された後、前記発泡体の元の厚さの少なくとも８０パーセントまで回復し、回復が、圧縮力の解除後の３０秒以内に生じる、請求項９に記載のおむつ組立品。
【請求項１１】
前記弾性パッドが、前記内側表面に垂直な方向に沿って画定された、５ミリメートル〜２０ミリメートルの範囲の厚さを有する、請求項１〜１０のいずれか一項に記載のおむつ組立品。
【請求項１２】
おむつからの漏れを低減する方法であって、
弾性パッドと、前記弾性パッドに接合された取り付け層とを有する、細長い阻止部材を提供するステップであって、前記取り付け層が、前記おむつの内側表面に取り付け可能であり、前記細長い阻止部材が、前記おむつの後縁部にほぼ平行に位置合わせされている、ステップと、
前記取り付け層を、前記内側表面の一部分に結合して、おむつ組立品を提供するステップであって、前記阻止部材が、前記内側表面の前記一部分と同一の広がりをもつ、ステップと、
前記おむつ組立品を着用者に締結することにより、前記阻止部材が、前記着用者の背部の輪郭に適合して、放出されたあらゆる排泄物が、前記おむつから漏出することを防ぐ、ステップと、を含む、方法。
【請求項１３】
前記取り付け層が、前記おむつの前記内側表面に、剥離可能に取り付け可能である、請求項１２に記載の方法。
【請求項１４】
前記阻止部材を前記内側表面から後で取り外して、同じおむつ又は異なるおむつの、前記内側表面の異なる部分に再び取り付けることができるように、前記取り付け層が再配置可能である、請求項１２又は１３に記載の方法。
【請求項１５】
容器と、
前記容器内に収容された、複数の阻止部材であって、各阻止部材が、弾性パッドと、前記弾性パッドに接合された取り付け層とを備え、前記取り付け層が、おむつの内側表面への剥離可能な取り付けを可能にする構成を有する、複数の阻止部材と、を備える、パッケージ化組立品。